(57)【要約】【課題】前面枠にプロテクタ及びスクリーンを取付ける場合、温度や湿度変化に起因して膨張、収縮してもそれを吸収し、プロテクタ及びスクリーンの湾曲を防ぐ取付構造を提供する。【解決手段】前面枠の開口部を塞ぐようにスクリーン及びプロテクタを取付けるようにした画像表示装置であって、前面枠の表面側にプロテクタの厚みよりも長い寸法のボスを設け、プロテクタにはボスの外径よりも大きい穴を形成し、この穴の内径よりも大きい鍔部を有するネジを用いてプロテクタを固定する。又、前面枠の背面側には取付金具の一端を取付け、この取付金具の他端と前面枠との間にスクリーンの端部を挟持する。これによりプロテクタ及びスクリーンを、画像の表示面に平行な第１の方向、及びそれと直交する第２の方向に所定の量のクリアランスを有して取付けることができる。【選択図】  図３
2004151281.tif 000002
【特許請求の範囲】
【請求項１】
前面部に開口部を形成した前面枠を有するキャビネット本体と、前記前面枠の開口部を塞ぐように前記前面枠の背面側に取り付けられるスクリーンと、前記前面枠の開口部を塞ぐように前記前面枠の表面側に取り付けられるプロテクタとを備え、前記スクリーンの背面に画像を表示するようにした画像表示装置であって、
前記プロテクタの外周部を前記前面枠に対して、前記画像の表示面に平行な第１の方向、及び前記表示面と直交する第２の方向に所定の量のクリアランスを有して取付けるための第１の取付手段と、
前記スクリーンの外周部を前記前面枠に対して、前記第１の方向、及び前記第２の方向に所定の量のクリアランスを有して取付けるための第２の取付手段とを有して成ることを特徴とする画像表示装置。
【請求項２】
前記第１の取付手段は、前記開口部周辺の前記前面枠の表面側に突出して形成され前記プロテクタの厚みよりも長い寸法を有する複数の第１のボスと、前記第１のボスにそれぞれ対抗して前記プロテクタに形成され、前記第１のボスの外径よりも大きい内径を有する穴と、前記第１のボスに螺入する螺子部及び前記穴の内径よりも大きい外径を有する鍔部からなるネジとで構成され、
前記プロテクタを、前記穴に前記第１のボスが入るように前面枠に取付け、前記プロテクタの外側から前記ネジを前記第１のボスに螺入して固定するようにしたことを特徴とする請求項１記載の画像表示装置。
【請求項３】
前記第２の取付手段は、前記開口部周辺の前記前面枠の背面側に突出して形成した複数の第２のボスと、一端が前記第１のボスに取り付けられ、他端が前記スクリーンに向かって延在する取付金具とで構成され、
前記前面枠と前記取付金具の他端との間に前記スクリーンの端部を挟持するようにしたことを特徴とする請求項１記載の画像表示装置。
【請求項４】
前面部に開口部を形成した前面枠を有するキャビネット本体と、
前記開口部周辺の前記前面枠の表面側に突出して形成され前記プロテクタの厚みよりも長い寸法を有する複数の第１のボスと、
前記第１のボスにそれぞれ対抗して前記第１のボスの外径よりも大きい内径を有する穴を形成したプロテクタと、
前記第１のボスに螺入する螺子部及び前記穴の内径よりも大きい外径を有する鍔部からなるネジと、
前記開口部周辺の前記前面枠の背面側に突出して形成た複数の第２のボスと、
一端が前記第２のボスに取り付けられ、他端が前記開口部に向かって延在する取付金具と、
前記前面枠の開口部を塞ぐように前記前面枠の背面側に取り付けられるスクリーンとを具備し、
前記プロテクタを、前記穴に前記第１のボスが入るように前面枠に取付け、前記プロテクタの外側から前記ネジを前記第１のボスに螺入して固定するとともに、前記前面枠と前記取付金具の他端との間に前記スクリーンの端部を挟持するようにしたことを特徴とする画像表示装置。
【請求項５】
前面部に開口部を形成した前面枠を有するキャビネット本体と、前記前面枠の開口部を塞ぐように前記前面枠の表面側に取り付けられるスクリーンと、前記スクリーンよりも大きい寸法を有し、前記スクリーンの表面を覆うように前記前面枠に取り付けられるプロテクタとを備え、前記スクリーンの背面に画像を表示するようにした画像表示装置であって、
前記プロテクタ及び前記スクリーンの外周部を前記前面枠に対して、前記画像の表示面に平行な第１の方向、及び前記表示面と直交する第２の方向に所定の量のクリアランスを有して取付けるための第３の取付手段を有して成ることを特徴とする画像表示装置。
【請求項６】
前記第３の取付手段は、前記開口部周辺の前記前面枠の表面側に突出して形成され前記プロテクタ及び前記スクリーンの合計厚みよりも長い寸法を有する複数の第１のボスと、前記第１のボスにそれぞれ対抗して前記プロテクタに形成され、前記第１のボスの外径よりも大きい内径を有する穴と、前記第１のボスに螺入する螺子部及び前記穴の内径よりも大きい外径を有する鍔部からなるネジとで構成され、
前記プロテクタと前記スクリーンを前記プロテクタが表面側になるように重ね、かつ前記穴に前記第１のボスが入るように前面枠に取付け、前記プロテクタの外側から前記ネジを前記第１のボスに螺入し、前記プロテクタと前記スクリーンを前記ネジの鍔部と前記前面枠の間に挟んで固定するようにしたことを特徴とする請求項５記載の画像表示装置。
【請求項７】
前面部に開口部を形成した前面枠を有するキャビネット本体と、
前記開口部周辺の前記前面枠の表面側に突出して形成された所定の長さ寸法を有する複数のボスと、
前記前面枠の開口部を塞ぐように前記前面枠の表面側に取り付けられるスクリーンと、
前記スクリーンよりも大きい寸法を有し、かつ前記ボスにそれぞれ対抗して前記ボスの外径よりも大きい内径を有する穴を形成したプロテクタと、
前記第１のボスに螺入する螺子部及び前記穴の内径よりも大きい外径を有する鍔部からなるネジとを具備し、
前記ボスの長さ寸法を前記プロテクタ及び前記スクリーンの合計厚みよりも長くし、前記プロテクタと前記スクリーンを前記プロテクタが表面側になるように重ね、かつ前記穴に前記ボスが入るように前面枠に取付け、前記プロテクタの外側から前記ネジを前記ボスに螺入し、前記プロテクタと前記スクリーンを前記ネジの鍔部と前記前面枠の間に挟んで固定するようにしたことを特徴とする画像表示装置。
【発明の詳細な説明】
【０００１】
【発明の属する技術分野】
本発明は、スクリーンの背面から映像光を投射する投射型テレビジョン受信機等の画像表示装置に関し、前記スクリーンの前面にプロテクタを取付ける取付構造に関する。
【０００２】
【従来の技術】
従来、画像表示装置の一例として背面投射型テレビジョン受信機が知られている。背面投射型テレビジョン受信機は、筐体内に画像を投射するための光学装置を設け、かつ前記筐体の前面枠に開口部を設け、この開口部の内側にスクリーンを取付けるようにしている。スクリーンは一般的にレンチキュラーレンズとフレネルレンズとを組み合わせて構成されており、前記光学装置から投射された画像光をスクリーンの背面に表示し、ユーザはスクリーンの表面側から表示画像を観るようにしている。
【０００３】
また、前記スクリーンを保護するため、及びコントラスト向上や視聴者の目の保護のため、前記筐体の開口部を塞ぐように前記前面枠の表面側にはプラスチック板等により形成された透明又は半透明の保護フィルタ（以下、プロテクタと称す）が取付けられている。上記プロテクタは前記前面枠表面にネジや接着剤を用いて取付けられ、前記スクリーンは前面枠の背面側に取付金具等を用いて取付けられるのが一般的である。
【０００４】
しかしながら、プロテクタをネジや接着剤を用いて前面枠に取付けた場合、温度や湿度変化に起因してプロテクタが膨張又は収縮するため、プロテクタが湾曲して歪んでしまい、表示映像が不自然に見えるという不都合があった。また、この不都合に対処するため、膨張・収縮の小さい材料を使用すれば良いが、高価であることと変形量がゼロではないため、湾曲が発生しないという保証はなかった。
【０００５】
また、プロテクタだけでなく前記スクリーンも温度や湿度変化に起因して膨張又は収縮するため、スクリーンの取付けに際しても湾曲を防ぐ必要があった。特にスクリーンはレンチキュラーレンズとフレネルレンズの膨張係数が異なるため、温度変化に伴って膨張係数の大きいレンチキュラーレンズが波打ち、フレネルレンズとの間に隙間ができ、色ムラの原因となっていた。
【０００６】
このような欠点を解決するため、例えば特開平９−１８８１６号公報には、レンチキュラーレンズとフレネルレンズが取り付けられる枠体と、レンチキュラーレンズとフレネルレンズを前記枠体に取付ける取付部材とが設けられ、前記レンチキュラーレンズの上部と枠体とを一体的に固定し、前記レンチキュラーレンズの下部とフレネルレンズの下部を一体的に固定し、さらに前記レンチキュラーレンズと前記フレネルレンズの下部を枠体に当接させないようにした構成により、スクリーンの温度変化に起因する膨張、収縮を吸収する例が記載されている。
【０００７】
しかしながら、この例ではスクリーンの膨張、収縮に関しては対策されているがプロテクタの膨張、収縮に関する対策は記載されていない。
【０００８】
また、スクリーンとプロテクタとを筐体の前面部に取付ける方法として、特開平９−６９９９４号公報に示すものがある。この例では意匠外観的に好ましい取付け方法であるが、前述したスクリーン及びプロテクタの膨張、収縮に関する対策は考慮されておらず、温度変化等についての考慮が欠けている。
【０００９】
【特許文献１】
特開平９−１８８１６号公報（第３頁、図１）
【特許文献２】
特開平９−６９９９４号公報（第３頁、図１、図２）
【００１０】
【発明が解決しようとする課題】
従来の画像表示装置では、プロテクタをネジや接着剤を用いて前面枠に取付けた場合、温度や湿度変化に起因してプロテクタが膨張又は収縮し湾曲するという不都合があった。またスクリーンを構成するレンチキュラーレンズとフレネルレンズも温度変化に伴って膨張、収縮するため、温度変化に対する対策が必要であった。
【００１１】
本発明は上記事情に鑑み、プロテクタ及びスクリーンの膨張、収縮を吸収可能な画像表示装置を提供することを目的とする。
【００１２】
【課題を解決するための手段】
請求項１記載の発明は、前面部に開口部を形成した前面枠を有するキャビネット本体と、前記前面枠の開口部を塞ぐように前記前面枠の背面側に取り付けられるスクリーンと、前記前面枠の開口部を塞ぐように前記前面枠の表面側に取り付けられるプロテクタとを備え、前記スクリーンの背面に画像を表示するようにした画像表示装置であって、
前記プロテクタの外周部を前記前面枠に対して、前記画像の表示面に平行な第１の方向、及び前記表示面と直交する第２の方向に所定の量のクリアランスを有して取付けるための第１の取付手段と、前記スクリーンの外周部を前記前面枠に対して、前記第１の方向、及び前記第２の方向に所定の量のクリアランスを有して取付けるための第２の取付手段とを有して成ることを特徴とする。
【００１３】
また請求項５記載の発明は、前面部に開口部を形成した前面枠を有するキャビネット本体と、前記前面枠の開口部を塞ぐように前記前面枠の表面側に取り付けられるスクリーンと、前記スクリーンよりも大きい寸法を有し前記スクリーンの表面を覆うように前記前面枠に取り付けられるプロテクタとを備え、前記スクリーンの背面に画像を表示するようにした画像表示装置であって、
前記プロテクタ及び前記スクリーンの外周部を前記前面枠に対して、前記画像の表示面に平行な第１の方向、及び前記表示面と直交する第２の方向に所定の量のクリアランスを有して取付けるための第３の取付手段を有して成ることを特徴とする。
【００１４】
上記した本発明の画像表示装置によれば、プロテクタ及びスクリーンが温度変化等により膨張、収縮しても前記クリアランスによりそれを吸収でき、プロテクタ及びスクリーンが湾曲するのを防ぐことができる。
【００１５】
【発明の実施の形態】
以下本発明の第１の実施形態を図を参照して説明する。図１は本発明の一実施形態による画像表示装置の外観を示す斜視図及び側面図である。
【００１６】
図１（ａ）は画像表示装置として背面投射型テレビジョン受信機の例を示し、１０は受信機のキャビネット本体を示している。キャビネット本体１０は、前面枠１１と背面カバー１２、及び底部筐体１３から成り、前面枠１１の開口部１１１を覆うように前面枠１１の表面にはプロテクタ１４が取付けられている。
【００１７】
プロテクタ１４は前面枠１１の背面に取付けられたスクリーン（後述）を保護したり、コントラストの向上や視聴者の目の保護のために設けられるもので、プラスチック板等により形成された透明又は半透明のフィルタである。このプロテクタ１４は、前面枠１１にネジ１５で取付けられ、ネジ１５は、画像表示面を避けたプロテクタ１４の周辺部、即ち前面枠１１の開口部１１１の縁に沿って例えば４隅に固定され、ネジ１５は化粧ネジが適している。
【００１８】
また、図１（ｂ）に示すように、前面枠１１の背面には背面カバー１２がネジ１６等の固定具を用いて固定され、底部筐体１３内には、スクリーンに映像光を投射するための光学装置１００が配置されている。光学装置としては、３つの投射管を使用したプロジェクタや、３つの液晶パネルを使用した液晶プロジェクタ等があり、この光学装置１００からの投射画像をミラー２００で反射し、スクリーン１７に投射するようにしている。
【００１９】
次に図２、図３を参照して前記プロテクタ１４及びスクリーン１７を前記前面枠１１に取付けるための構造を詳細に説明する。尚、図２は、図１の背面側から見た分解斜視図であり、前面枠１１を中心にして示し、背面カバー１２を外した状態を示している。又、図３は本発明のプロテクタ取付構造の主要部を示す断面図である。
【００２０】
図２において、前面枠１１内には前記開口部１１１の周囲に複数のリブ１８が内方向に突出して形成されている。また、前面枠１１の内側４隅には複数のボス１９が形成されている。前記リブ１８で囲まれる空間内には、スクリーン１７が収納され、スクリーン１７はこれらリブ１８によって外周が囲まれ、前記ボス１９に取付金具２０を取付けることでスクリーン１７の上端及び下端を前面枠１１の内側に固定している。尚、スクリーン１７はレンチキュラーレンズ１７１とフレネルレンズと１７２から構成されている。
【００２１】
取付金具２０は、棒状の本体２０１と鉤状に曲がった抑え部２０２からなり、図３に示すようにネジ２１によって本体部２０１をボス１９に取付けることにより、取付金具２０の抑え部２０２と前面枠１１との間にスクリーン１７の上端と下端を挟むようにしている。
【００２２】
一方、前記プロテクタ１４にはその４隅にそれぞれ穴１４１が設けられ、この穴１４１に対抗して前記前面枠１１の表面には複数のボス２２（図３参照）が突出して設けられている。これらボス２２は前記ボス１９から若干ずれた位置に設けられ、各ボス２２にはネジ穴が形成されている。
【００２３】
前記ネジ１５は、前記ボス２２のネジ穴に螺入する螺子部１５１と前記プロテクタ１４の穴１４１よりも径の大きい鍔部１５２から成り、図３に示すようにネジ１５をボス２２に取付けたとき、前記鍔部１５２と前面枠１１との間にプロテクタ１４の上端（及び下端）を挟むようにしている。
【００２４】
また、前記ボス２２の長さＬ１は前記プロテクタ１４の厚さＬ２よりも若干長く設定されており、Ｌ１−Ｌ２＝Ｌ３で示すクリアランスを有し、前記プロテクタ１４の穴１４１の径Ｌ４は前記ボス２２の外径Ｌ５よりも若干大きく設定されており、Ｌ４−Ｌ５＝Ｌ６で示すクリアランスを有し、これらクリアランスＬ３，Ｌ６によりプロテクタ１４は温度、湿度変化等による膨張・収縮があってもそれを吸収できるようにしている。即ち、プロテクタ１４はスクリーン１７の面と平行な方向に膨張・収縮する場合が多く、このような膨張・収縮があっても前記クリアランスＬ６によってそれを吸収することができる。また、スクリーン１７の面と直交する方向（厚み方向）にもクリアランスＬ３があるため、前面枠１１とネジ１５の鍔部１５２との間には微小の隙間が形成され、プロテクト１４はその面方向に可動となり、膨張・収縮があっても湾曲することはない。
【００２５】
またスクリーン１７についても、前面枠１１と取付金具２０とで挟みつける構造であるため、温度、湿度変化等による膨張・収縮があってもそれを吸収することができる。即ち、スクリーン１７の面と平行な方向に膨張・収縮した場合は前面枠１１と取付金具２０間でスクリーンは上下方向に伸び縮みできる。また前記取付金具２０の他端２０２は弾性的にスクリーン１７に接しているため、スクリーン１７の面と直交する方向（厚み方向）にクリアランスを有していることになり、スクリーン１７はその面方向に可動となり、膨張・収縮があっても湾曲することはない。
【００２６】
このように本発明の一実施形態では、プロテクタ１４及びスクリーン１７が温度、湿度変化等により膨張・収縮してもそれを吸収し、プロテクタ１４やスクリーン１７が湾曲変形することを防ぐことができ、表示画像の品位が低下するのを防止できる。
【００２７】
次に本発明の他の実施形態について図４を参照して説明する。図４は図３と同様に本発明のプロテクタ取付構造の主要部を示す断面図である。
【００２８】
図４の構成では、前記取付金具２０を削除し、前記ボス２２に対抗して前面枠１１の内面にボス２３を突出して形成し、ボス２２とボス２３に連通してネジ穴を形成し、図３のネジ１５よりも螺子部１５１’の長さが長いネジ１５’をボス２２に取付け、プロテクタ１４とスクリーン１７とを前記ネジ１５’と前面枠１１との間に挟み付け、プロテクタ１４の固定時にスクリーン１７も同時に固定するようにしたものである。尚、プロテクタ１４はスクリーン１７よりも大きい寸法を有している。
【００２９】
この実施形態では、前記ネジ１５’を締め付けたとき、前面枠１１と鍔部１５２間の距離Ｌ７が前記プロテクタ１４とスクリーン１７の両者の厚み合計Ｌ８よりも若干大きく設定されており、Ｌ７−Ｌ８＝Ｌ９のクリアランスを有している。
また図３と同様に前記プロテクタ１４の穴１４１の径Ｌ４は前記ボス２２の外径Ｌ５よりも若干大きく設定されており、Ｌ４−Ｌ５＝Ｌ６で示すクリアランスを有している。
【００３０】
したがって、これらクリアランスＬ６，Ｌ９によりプロテクタ１４及びスクリーン１７は温度、湿度変化等による膨張・収縮があってもそれを吸収することができる。またプロテクタ及びスクリーンを取付ける場合、図３の例ではネジ２１及びネジ１５の締め付けにより取付けることができるし、図４の例ではネジ１５’の締め付けだけで取付けることができ、工程を簡略化することができる。
【００３１】
なお、ネジ１５、１５’は化粧ネジを用いることにより、ネジが表面に出ても意匠的に外観を損ねることはない。
【００３２】
【発明の効果】
以上のように本発明によれば、プロテクタ及びスクリーンが温度変化等により膨張、収縮してもそれを吸収できる。また簡単な構造によりプロテクタ及びスクリーンを取付けることができる。
【図面の簡単な説明】
【図１】本発明の画像表示装置の外観構造を示す斜視図及び側面図。
【図２】本発明の画像表示装置におけるプロテクタ取付構造の一実施形態を示す要部分解斜視図。
【図３】本発明の画像表示装置プロテクタ取付構造の一実施形態を示す要部断面図。
【図４】本発明の画像表示装置プロテクタ取付構造の他の実施形態を示す要部断面図。
【符号の説明】
１０…キャビネット本体
１１…前面枠
１２…背面カバー
１３…底部筐体
１４…プロテクタ
１４１…穴
１５、１５’…ネジ
１５１、１５１’…螺子部
１５２…鍔部
１７…スクリーン
１８…リブ
１９…ボス
２０…取付金具
２２…ボス
【図１】
2004151281.tif 000003
【図２】
2004151281.tif 000004
【図３】
2004151281.tif 000005
【図４】
2004151281.tif 000006